(57)【要約】      （修正有）【課題】タオル機能を追加して頭巾、ハチマキ、風呂敷、カバー、バンダナ機能を兼ねた新規な美容用具の提供。【解決手段】吸水性の高い素材布地に、吸水力の高い段々織りを使用した、定型タオルに半切りタオルをミシンで縫合し、凸形とした。【選択図】図１
0003137064.tif 000002
【実用新案登録請求の範囲】
【請求項１】
市販品の定形タオルに色組合せしたタオルの半切り部を中央に縫合した、凸型タオルの髪染め美容用具
【請求項２】
凸部を含む巾外形寸法を  巾３００ｍ／ｍ以上の平坦部、と７００ｍ／ｍ以上の凸部で組合わせ縫合した、請求項１の美容用具。
【請求項３】
巾対角辺の引張り最長寸法を１００ｃｍ以上とした。請求項１の美容用具
【請求項４】
定形タオルに半切り部の端部をミシンの布地押え金具巾で重ね縫合した，請求項１の美容用具
【考案の詳細な説明】
【考案の詳細な説明】
【技術分野】
【０００１】  本考案は、独り髪染めを簡単に施術できる技法に用いる、美容用具に関するものです。
【背景技術】
【０００２】  凸型のタオルはなかった。
【考案が解決しようとする課題】
【０００３】  タオル機能を追加して頭布、ハチマキ、風呂敷、カバー、バンダナ機能を兼ねた新規な美容用具の考案です。
【課題を解決するための手段】
【０００４】  吸水性の高い素材布地に、吸水力の高い段々織り方を使用した、定型タオルに半切りタオルをミシンで縫合し、凸形とした。
【考案を実施するための最良の形態】
【０００５】  独り染め髪染法の特性として  保温、保湿、吸水、結束、洗濯性、実施に於て塗布前ではカバー等が関与する。塗布中では肩掛け、塗布後では頭布、洗髪後では拭き取りタオル、仕上で濡れタオルで各部石鹸洗い、５〜６通りの塗布手順に沿って機能を発揮できた。【０００６】バンダナ凸形タオルに望む条件  しばった場合  容易にほどけない。結束性がある。【０００７】バンダナ凸形タオルに望む条件  として１００℃の沸騰温度によつて  変形しない。耐熱性がある。【０００８】バンダナ凸形タオルに望む条件  としてＰＨによつて  変質しない。耐薬品性がある。【０００９】バンダナ凸形タオルに望む条件  として洗濯によつて  色抜けしない。着色しない。【００１０】バンダナ凸形タオルに望む条件  として結束角度によつて  覆う位置が調節できる。包装性がある。【００１１】バンダナ凸形タオルに望む条件  として巻き付け時間によつて  蒸れが生じない。通気性がある。【００１２】バンダナ凸形タオルに望む条件  として縛る接触圧によつて  頭皮に優しいツボ押しが出来る。【００１３】使用上に望む条件  として頭皮塗布オイルの垂れが吸収できる。【００１４】使用上に望む条件  として実用寸法は頭部全体を包める大きさにする。
【実施例】
【００１５】使用時重量は  ２００グラムとなり  含水容量１１０ＣＣが最大水分吸水量、乾燥バンダナタオル重量は、９０グラムだった。【００１６】ヘナの発色を促進する場合に  ４０度−４５度の熱い湯でゆるく絞ります  そして  少なくとも１時間位そのまま頭に巻く
貼ホカロンをタオルに張り付けて  バンダナタオルで巻くと１０時間くらい４０度を保てる  ヘナ  ハーブ等を発酵させて育毛・発色成分が髪に浸透し易いように出来る。【００１７】実施術では  ２枚のバンダナタオルを活用して、肩掛けカバー、頭布、拭き取り、洗いに活用する。【００１８】生え際  頭頂部  等には重ね巻きすると  タオル蒸し効果が向上する。【００１９】頭皮にオイルを１０ＣＣ、ホカロンで温めて４０℃〜４３℃にした押圧、ほぐし塗布法は、毛穴の脂分を除去して頭皮がよみがえる。
【考案の効果】
（ア）本考案に係る技法は  インド伝承の信頼あるものから  基本技を取り入れている。
（イ）温め効果、を活用すると３ケ月位で元気な髪へと変わる  毛穴の中から脂分を取り除き、抜け毛予防も期待できる。
（ウ）独り頭皮ケア技法は  簡単で関連考案のロート、木筆、金具付ボトルとバンダナ凸型タオルがあれば  いつでも  どこでも出来る。
（エ）素材を選択すると簡単に洗濯できて乾燥も早く１日に３〜４回再使用できる。
（オ）素材が身体に接触しても、健康上無害である  障害のある方々にもわずかな訓練によって、自分髪への髪化粧が簡単となる。
【図面の簡単な説明】
【００２０】
【図１】  考案バンダナ凸型タオルの斜視図
【図２】  関連用品の使用図
【符号の説明】
【００２１】１凸部半切タオル部
２組合せ縫合部
３本体タオル部
【図１】
0003137064.tif 000003
【図２】
0003137064.tif 000004
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
日用品で３０ｃｍ×９０ｃｍのフェイスタオルに色合わせした、タオルの半切り部を中央に縫合した凸型タオルの、髪染め美容用具。
【請求項２】
凸部を含む巾外形寸法を巾３０ｃｍ以上の平坦部分と、７０ｃｍ以上の凸部分で組合せ縫合した。請求項１の美容用具。
【請求項３】
巾対角辺の引張り最長寸法が１００ｃｍ以上の寸法となる、請求項１の美容用具。
【請求項４】
フェイスタオルに半切り部の端部を、ミシンの布地押さえ金具巾で重ね縫合した、請求項１の美容用具。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は、独り髪染めを簡単に施術できる技法に用いる、美容用具に関するものです。
【背景技術】
【０００２】  凸型のタオルはなかった。
【考案が解決しようとする課題】
【０００３】  タオル機能を追加して頭布、ハチマキ、風呂敷、カバー、バンダナ機能を兼ねた新規な美容用具の考案です。
【課題を解決するための手段】
【０００４】  吸水性の高い素材布地に、吸水力の高い段々織り方を使用した、定型タオルに半切りタオルをミシンで縫合し、凸形とした。
【考案を実施するための最良の形態】
【０００５】  独り染め髪染法の特性として  保温、保湿、吸水、結束、洗濯性、実施に於て塗布前ではカバー等が関与する。塗布中では肩掛け、塗布後では頭布、洗髪後では拭き取りタオル、仕上で濡れタオルで各部石鹸洗い、５〜６通りの塗布手順に沿って機能を発揮できた。【０００６】バンダナ凸形タオルに望む条件  しばった場合  容易にほどけない。結束性がある。【０００７】バンダナ凸形タオルに望む条件  として１００℃の沸騰温度によつて  変形しない。耐熱性がある。【０００８】バンダナ凸形タオルに望む条件  としてＰＨによつて  変質しない。耐薬品性がある。【０００９】バンダナ凸形タオルに望む条件  として洗濯によつて  色抜けしない。着色しない。【００１０】バンダナ凸形タオルに望む条件  として結束角度によつて  覆う位置が調節できる。包装性がある。【００１１】バンダナ凸形タオルに望む条件  として巻き付け時間によつて  蒸れが生じない。通気性がある。【００１２】バンダナ凸形タオルに望む条件  として縛る接触圧によつて  頭皮に優しいツボ押しが出来る。【００１３】使用上に望む条件  として頭皮塗布オイルの垂れが吸収できる。【００１４】使用上に望む条件  として実用寸法は頭部全体を包める大きさにする。
【実施例】
【００１５】使用時重量は  ２００グラムとなり  含水容量１１０ＣＣが最大水分吸水量、乾燥バンダナタオル重量は、９０グラムだった。【００１６】ヘナの発色を促進する場合に  ４０度−４５度の熱い湯でゆるく絞ります  そして  少なくとも１時間位そのまま頭に巻く
貼ホカロンをタオルに張り付けて  バンダナタオルで巻くと１０時間くらい４０度を保てる  ヘナ  ハーブ等を発酵させて育毛・発色成分が髪に浸透し易いように出来る。【００１７】実施術では  ２枚のバンダナタオルを活用して、肩掛けカバー、頭布、拭き取り、洗いに活用する。【００１８】生え際  頭頂部  等には重ね巻きすると  タオル蒸し効果が向上する。【００１９】頭皮にオイルを１０ＣＣ、ホカロンで温めて４０℃〜４３℃にした押圧、ほぐし塗布法は、毛穴の脂分を除去して頭皮がよみがえる。
【考案の効果】
【００２０】  （ア）本考案に係る技法は  インド伝承の信頼あるものから  基本技を取り入れている。
（イ）温め効果、を活用すると３ケ月位で元気な髪へと変わる  毛穴の中から脂分を取り除き、抜け毛予防も期待できる。
（ウ）独り頭皮ケア技法は  簡単で関連考案のロート、木筆、金具付ボトルとバンダナ凸型タオルがあれば  いつでも  どこでも出来る。
（エ）素材を選択すると簡単に洗濯できて乾燥も早く１日に３〜４回再使用できる。
（オ）素材が身体に接触しても、健康上無害である  障害のある方々にもわずかな訓練によって、自分髪への髪化粧が簡単となる。
【図面の簡単な説明】
【００２１】
【図１】  考案バンダナ凸型タオルの斜視図
【図２】  関連用品の使用図
【符号の説明】
【００２２】１凸部半切タオル部
２組合せ縫合部
３本体タオル部
【手続補正書】
【提出日】平成19年5月2日(2007.5.2)
【手続補正１】
【補正対象書類名】実用新案登録請求の範囲
【補正対象項目名】全文
【補正方法】変更
【補正の内容】
【実用新案登録請求の範囲】
【請求項１】
日用品で概寸法が  ３０ｃｍｘ９０ｃｍのフエイスタオルを応用した図１より  水平線部タオルと突起部タオルを縫合した凸型タオルの髪染め美容用具
【請求項２】
巾外形寸法３０ｃｍ以上の水平線部タオルと高さは自由寸法の突起部タオルを組合せ縫合した、請求項１の美容用具
【請求項３】
水平線部タオル端と突起部タオル端の引張り最長寸法が１００ｃｍ以上の寸法となる、請求項１の美容用具
【請求項４】
水平線部タオルと突起部タオルをミシンで縫合した、請求項１の美容用具
【手続補正２】
【補正対象書類名】明細書
【補正対象項目名】００２１
【補正方法】変更
【補正の内容】
【００２１】１、  突起部タオル
２、  水平線部タオル
３、  ミシンで縫合
４、  引張り最長寸法
【手続補正３】
【補正対象書類名】図面
【補正対象項目名】全図
【補正方法】変更
【補正の内容】
【図１】
0003137064.tif 000005
【図２】
0003137064.tif 000006
【手続補正書】
【提出日】平成19年6月30日(2007.6.30)
【手続補正１】
【補正対象書類名】実用新案登録請求の範囲
【補正対象項目名】全文
【補正方法】変更
【補正の内容】
【実用新案登録請求の範囲】
【請求項１】
日用品で概寸法が  ３０ｃｍｘ９０ｃｍのフエイスタオルを応用した、ヨコ方向（１）水平線部タオルとタテ方向（２）突起部タオルを縫合した．凸型タオルの髪染め美容用具
【請求項２】
巾外形寸法３０ｃｍ以上のヨコ方向（１）水平線部タオルと高さは自由寸法のタテ方向（２）突起部タオルを組合せ縫合した、請求項１の美容用具
【請求項３】
水平線部タオル端と突起部タオル端の引張り最長寸法が１００ｃｍ以上の寸法となる、請求項１の美容用具
【請求項４】
ヨコ方向（１）水平線部タオルとタテ方向（２）突起部タオルをミシンで縫合した、請求項１の美容用具